(57)【要約】【課題】外装体内のガスをより確実に排出することができ、かつ小形化を図ることができる蓄電デバイスを得る。【解決手段】電気二重層キャパシタ１では、蓄電デバイス本体２と、蓄電デバイス本体２を収容し、蓄電デバイス本体２に含浸される電解液が内部に溜められた外装体３と、外装体３の内圧を調整する圧力調整装置４とを有している。圧力調整装置４は、外装体３内に配置された中空体１０と、中空体１０に互いに離して設けられ、外装体３内のガスを中空体１０内へ透過可能な複数の気液分離膜１１と、中空体１０及び外装体３間に設けられ、外装体３外から中空体１０内へのガスの進入を阻止するとともに、中空体１０内から外装体３外へのガスの排出を許容する共通の逆止弁１２とを有している。【選択図】図３
2012199297.tif 000002
【特許請求の範囲】
【請求項１】
蓄電デバイス本体、
上記蓄電デバイス本体を収容し、上記蓄電デバイス本体に含浸される電解液が内部に溜められた外装体、及び
上記外装体の内圧を調整する圧力調整装置
を備え、
上記圧力調整装置は、上記外装体内に配置された中空体と、上記中空体に互いに離して設けられ、上記外装体内のガスを上記中空体内へ透過可能な複数の気液分離膜と、上記中空体及び上記外装体間に設けられ、上記外装体外から上記中空体内へのガスの進入を阻止するとともに、上記中空体内から上記外装体外へのガスの排出を許容する共通の逆止弁とを有していることを特徴とする蓄電デバイス。
【請求項２】
上記蓄電デバイス本体の形状は、扁平状とされており、
上記蓄電デバイス本体の厚さ方向に沿って見たときの各上記気液分離膜の位置は、上記蓄電デバイス本体を挟んで対向する位置となっていることを特徴とする請求項１に記載の蓄電デバイス。
【請求項３】
上記気液分離膜は、所定の撥水性を持つ材料により構成されていることを特徴とする請求項１又は請求項２に記載の蓄電デバイス。
【請求項４】
上記逆止弁は、連通孔を通して内部が上記中空体内と連通される弁ケースと、上記連通孔を開閉する弁体と、上記連通孔を閉じる方向へ上記弁体を付勢する付勢体とを有しており、
上記弁体は、上記中空体の内圧で押されることにより、上記付勢体の付勢力に逆らって、上記連通孔を開く方向へ変位可能になっていることを特徴とする請求項１乃至請求項３のいずれか一項に記載の蓄電デバイス。
【発明の詳細な説明】
【技術分野】
【０００１】
この発明は、電解液が含浸された蓄電デバイス本体を収容する外装体に圧力調整装置が設けられた蓄電デバイスに関するものである。
【背景技術】
【０００２】
従来、電解液が含浸された電極セルと、電極セルを収容する容器とを有する電気二重層キャパシタが知られている。このような電気二重層キャパシタでは、電極セルへの充放電を繰り返すことにより電極セルからガスが発生する。この場合、容器の内圧が次第に上昇し、容器が破裂してしまうおそれがある。
【０００３】
従来、容器内で発生したガスを容器外へ排出するために、逆止弁を容器に取り付けた電気二重層キャパシタが知られている。このような従来の電気二重層キャパシタでは、電解液を透過させずにガスのみを透過させるガス分離膜を逆止弁に取り付けて、電解液を容器外へ排出せずにガスのみを容器外へ排出するようにしている。しかし、電気二重層キャパシタが傾けられてガス分離膜が電解液で覆われると、ガスは電解液に遮られてガス分離膜を透過しなくなり、容器が破裂してしまうおそれがある。
【０００４】
従来、容器の破裂を防止するために、複数の逆止弁を容器に設けた電気二重層キャパシタが提案されている。これにより、従来では、電気二重層キャパシタが傾けられて各逆止弁のいずれかが電解液で覆われても、残りの逆止弁でガスを容器外へ排出するようにして、容器の破裂の防止を図っている（例えば特許文献１参照）。
【先行技術文献】
【特許文献】
【０００５】
【特許文献１】特開２００７−１５００５５号公報
【発明の概要】
【発明が解決しようとする課題】
【０００６】
しかし、特許文献１に示されている電気二重層キャパシタでは、複数の逆止弁が容器に設けられているので、電気二重層キャパシタ全体が大形化してしまう。
【０００７】
この発明は、上記のような課題を解決するためになされたものであり、外装体内のガスをより確実に排出することができ、かつ小形化を図ることができる蓄電デバイスを得ることを目的とする。
【課題を解決するための手段】
【０００８】
この発明に係る蓄電デバイスは、蓄電デバイス本体、蓄電デバイス本体を収容し、蓄電デバイス本体に含浸される電解液が内部に溜められた外装体、及び外装体の内圧を調整する圧力調整装置を備え、圧力調整装置は、外装体内に配置された中空体と、中空体に互いに離して設けられ、外装体内のガスを中空体内へ透過可能な複数の気液分離膜と、中空体及び外装体間に設けられ、外装体外から中空体内へのガスの進入を阻止するとともに、中空体内から外装体外へのガスの排出を許容する共通の逆止弁とを有している。
【発明の効果】
【０００９】
この発明に係る蓄電デバイスでは、中空体が外装体内に配置され、外装体内のガスを中空体内へ透過可能な複数の気液分離膜が中空体に互いに離して設けられているので、各気液分離膜のそれぞれを通して外装体内から中空体内に進入したガスの外装体外への排出を共通の逆止弁で行うことができる。これにより、圧力調整装置の小形化を図ることができ、蓄電デバイス全体の小形化を図ることができる。また、各気液分離膜が互いに離れて配置されているので、蓄電デバイスが任意の方向に傾いたり倒れたりしても、すべての気液分離膜が電解液中に浸ってしまうことを回避することができ、各気液分離膜のいずれかを通して外装体内のガスを中空体内に進入させることができる。これにより、外装体内のガスをより確実に排出することができ、外装体３の内圧の調整をより確実に行うことができる。
【図面の簡単な説明】
【００１０】
【図１】この発明の実施の形態１による電気二重層キャパシタを示す斜視図である。
【図２】図１の電気二重層キャパシタを示す縦断面図である。
【図３】図１の電気二重層キャパシタを示す分解斜視図である。
【図４】この発明の実施の形態２による電気二重層キャパシタを示す斜視図である。
【図５】この発明の実施の形態３による電気二重層キャパシタを示す斜視図である。
【図６】この発明の実施の形態４による電気二重層キャパシタを示す斜視図である。
【発明を実施するための形態】
【００１１】
実施の形態１．
図１は、この発明の実施の形態１による電気二重層キャパシタを示す斜視図である。また、図２は、図１の電気二重層キャパシタを示す縦断面図である。さらに、図３は、図１の電気二重層キャパシタを示す分解斜視図である。図において、蓄電デバイスである電気二重層キャパシタ１は、充電及び放電が行われる扁平状の蓄電デバイス本体２と、蓄電デバイス本体２を収容する外装体３と、外装体３の内圧を調整する圧力調整装置４とを有している。電気二重層キャパシタ１は、通常、蓄電デバイス本体２の厚さ方向を水平にして上下に立てて配置される。また、この例では、蓄電デバイス本体２の厚さ方向に沿って見たときの蓄電デバイス本体２及び外装体３の形状が、図２に示すように、それぞれ長方形となっている。
【００１２】
蓄電デバイス本体２は、正極及び負極とされた一対の電極５と、各電極５間に挟まれた離隔紙（セパレータ）６とを有している。電極５は、アルミニウム箔にカーボンを塗布して構成されている。蓄電デバイス本体２は、電極５が形成された離隔紙６を巻回又は積層することにより作製される。
【００１３】
蓄電デバイス本体２には、正極及び負極に個別に接続された一対の金属製（例えばアルミニウム製や銅製等）の端子７が設けられている。各端子７のそれぞれは、外装体３の上端部から外装体３外に露出している。蓄電デバイス本体２に対する充電及び放電は、各端子７を通して行われる。
【００１４】
外装体３内には、図２に示すように、蓄電デバイス本体２に含浸される電解液３０が溜められている。電解液３０は重力で外装体３内の下部に溜まっており、外装体３内の上部には空間が形成されている。蓄電デバイス本体２に対する充電及び放電は、正極と負極との間で電解液３０中のイオンや電子が移動することにより行われる。蓄電デバイス本体２の充電及び放電が行われると、例えばＨ２やＣＯ、ＣＯ２等のガスが蓄電デバイス本体２から発生する。外装体３の内圧は、蓄電デバイス本体２からのガスの発生により上昇する。
【００１５】
外装体３は、液体及び気体の透過を阻止する密閉容器となっている。この例では、外装体３は、アルミニウム箔の表面及び裏面のそれぞれに樹脂層が形成されたアルミラミネートフィルム８により構成されている。外装体３は、図３に示すように、長方形の一対のアルミラミネートフィルム８間に蓄電デバイス本体２を挟んだ後、各アルミラミネートフィルム８の外周部８ａ同士を全周にわたってシールすることにより作製される。各アルミラミネートフィルム８の外周部８ａ同士のシールの形成は、各アルミラミネートフィルム８の外周部８ａの樹脂層同士を密着させて、樹脂層同士の密着部分を加熱により熱融着させることにより行われる。外装体３の上部には、一方のアルミラミネートフィルム８を貫通する通気孔９が設けられている。
【００１６】
圧力調整装置４は、外装体３内に配置されているとともに内部が空洞とされた中空体１０と、中空体１０に互いに離して設けられた複数（この例では、２つ）の気液分離膜１１と、中空体１０及び外装体３間に設けられた共通の逆止弁１２とを有している。
【００１７】
中空体１０は、蓄電デバイス本体２の周囲に配置されている。また、中空体１０は、電解液３０に対して溶けにくい材料により構成されている。中空体１０を構成する材料としては、例えばポリプロピレンやポリエチレン等が用いられている。さらに、中空体１０は、蓄電デバイス本体２の上方に配置された断面矩形状の第１の中空管１３と、第１の中空管１３に結合され、蓄電デバイス本体２の側方に配置された断面矩形状の第２の中空管１４とを有している。
【００１８】
第１の中空管１３は、蓄電デバイス本体２の上辺に沿って配置されている。第２の中空管１４は、蓄電デバイス本体２の縦辺（側辺）に沿って配置されている。第１及び第２の中空管１３，１４は、それぞれの一端部同士が結合されることにより一体に形成されている。また、第１の中空管１３内と第２の中空管１４内とは、図２に示すように、互いに直接連通されている。中空体１０は、第１及び第２の中空管１３，１４によりＬ字状に形成されている。
【００１９】
第１の中空管１３の他端部には、外装体３内と第１の中空管１３内とを連通させる開口部１５が設けられている。第２の中空管１４の他端部には、外装体３内と第２の中空管１４内とを連通させる開口部１６が設けられている。即ち、中空体１０には、外装体３内と中空体１０内とを連通させる複数（この例では、２つ）の開口部１５，１６が互いに離して設けられている。
【００２０】
この例では、第１の中空管１３の長さ方向に対して傾斜しかつ蓄電デバイス本体２の厚さ方向に沿って形成された第１の端面が、第１の中空管１３の他端部に設けられている。開口部１５は、第１の端面に設けられている。また、この例では、第２の中空管１４の長さ方向に対して傾斜しかつ蓄電デバイス本体２の厚さ方向に沿って形成された第２の端面が、第２の中空管１４の他端部に設けられている。開口部１６は、第２の端面に設けられている。
【００２１】
蓄電デバイス本体２の厚さ方向に沿って見たときの開口部１５，１６の位置は、蓄電デバイス本体２を挟んで対向する位置とされている。また、開口部１５，１６は、外装体３内の四隅のうち、互いに対向する２つの隅にそれぞれ配置されている。
【００２２】
各気液分離膜１１は、開口部１５，１６を個別に塞いでいる。一方の開口部１５を塞ぐ気液分離膜１１は第１の中空管１３の他端部に貼られ、他方の開口部１６を塞ぐ気液分離膜１１は第２の中空管１４の他端部に貼られている。従って、蓄電デバイス本体２の厚さ方向に沿って見たときの気液分離膜１１の位置は、蓄電デバイス本体２を挟んで対向する位置とされている。また、気液分離膜１１は、外装体３内の四隅のうち、互いに対向する２つの隅にそれぞれ配置されている。この例では、蓄電デバイス本体２の厚さ方向に沿って電気二重層キャパシタ１を見たときに、各気液分離膜１１を結ぶ直線が蓄電デバイス本体２の長方形の対角線とほぼ一致している。
【００２３】
気液分離膜１１は、複数の微細空孔が設けられた多孔性の膜（多孔膜）とされている。これにより、気液分離膜１１は、液体（電解液３０）の透過を阻止しながら、複数の微細空孔を通してガスのみを透過するようになっている。即ち、気液分離膜１１は、外装体３内から中空体１０内への電解液３０の進入を阻止しながら、開口部１５，１６を通して外装体３内のガスを中空体１０内へ透過可能になっている。これにより、蓄電デバイス本体２から発生したガスにより外装体３の内圧が上昇すると、外装体３内のガスが気液分離膜１１を透過して中空体１０内に進入し、中空体１０の内圧が外装体３の内圧に応じて上昇する。
【００２４】
気液分離膜１１を構成する材料は、気液分離膜１１の微細空孔が電解液３０で塞がれにくくするために、電解液３０に対する濡れ性の低い材料（即ち、所定の撥水性を持つ材料）とされている。気液分離膜１１を構成する材料としては、例えばポリテトラフルオロエチレン（ＰＴＦＥ）やポリエチレン（ＰＥ）、ポリプロピレン（ＰＰ）、ポリビニリデンフロオライド（ＰＶＤＦ）等が挙げられる。
【００２５】
逆止弁１２は、外装体３内の上部に位置する第１及び第２の中空管１３，１４の結合部分に設けられている。また、逆止弁１２は、通気孔９の位置に合わせて外装体３の内面に固定されている。逆止弁１２は、外装体３外から中空体１０内へのガス（外気）の進入を阻止するとともに、中空体１０内から外装体３外へのガスの排出を許容する。
【００２６】
逆止弁１２は、図２に示すように、外装体３の内面に固定された弁ケース１７と、弁ケース１７内に変位可能に配置された弁体１８と、弁ケース１７の内面と弁体１８との間で縮められた弾性ばね（付勢体）１９とを有している。
【００２７】
弁ケース１７には、弁ケース１７の壁をそれぞれ貫通する外側連通孔２０及び内側連通孔２１が設けられている。外側連通孔２０は、通気孔９の位置に合わせて弁ケース１７に設けられている。弁ケース１７内は、外側連通孔２０及び通気孔９を通して外装体３外と連通され、内側連通孔２１を通して中空体１０内と連通されている。
【００２８】
弁体１８は、弁ケース１７内で変位されることにより内側連通孔２１を開閉する。この例では、弁体１８の形状が球状となっている。
【００２９】
弾性ばね１９は、弁ケース１７の内面と弁体１８との間で縮められて発生する弾性反発力により、内側連通孔２１を閉じる方向へ弁体１８を付勢している。弁体１８は、弾性ばね１９の付勢力によって弁ケース１７の内面に押し付けられることにより、内側連通孔２１を閉じる。また、弁体１８は、中空体１０の内圧で押されることにより、弾性ばね１９の付勢力に逆らって、内側連通孔２１を開く方向へ変位可能になっている。
【００３０】
中空体１０の内圧が所定値以下であるときには、弁体１８が弾性ばね１９の付勢力により弁ケース１７の内面に押し付けられて内側連通孔２１が閉じている。中空体１０の内圧が上昇して所定値を超えると、中空体１０の内圧が弾性ばね１９の付勢力に打ち勝ち、弾性ばね１９の付勢力に逆らって弁体１８が変位され、内側連通孔２１が開く。中空体１０内のガスは、内側連通孔２１が開くことにより、弁ケース１７内、外側連通孔２０及び通気孔９を通して外装体３外へ排出される。逆止弁１２は、中空体１０の内圧に応じて内側連通孔２１の開閉動作を行うことにより、中空体１０の内圧を調整する。
【００３１】
次に、動作について説明する。電気二重層キャパシタ１が立てて配置されているときには、電解液３０が重力で外装体３内の下部に溜まっているので、外装体３内の上部に配置された一方の気液分離膜１１が外装体３内の空間に露出され、外装体３内の下部に配置された他方の気液分離膜１１が電解液中に浸って電解液で覆われた状態となっている。従って、一方の気液分離膜１１はガスを透過可能な状態となっているが、他方の気液分離膜１１は電解液で遮られてガスの透過が不可能な状態となっている。
【００３２】
電気二重層キャパシタ１では、蓄電デバイス本体２に対する充電及び放電が繰り返されると、電極５に付着した水分や外装体３内の電解液の分解反応により、ガスが発生する。発生したガスは、蓄電デバイス本体２内の電解液３０を押し出しながら、蓄電デバイス本体２から外装体３内へ排出される。蓄電デバイス本体２から押し出された電解液３０は重力で外装体３内の下部に溜まり、蓄電デバイス本体２から排出されたガスは外装体３内の上部の空間に充満する。これにより、外装体３の内圧が次第に上昇する。
【００３３】
電気二重層キャパシタ１が立てて配置されている状態では、一方の気液分離膜１１が外装体３内の空間に露出され、他方の気液分離膜１１が電解液中に浸っているので、外装体３内のガスは、外装体３内の空間に露出された一方の気液分離膜１１を透過して中空体１０内に進入する。これにより、中空体１０の内圧も、外装体３の内圧に応じて次第に上昇する。
【００３４】
中空体１０の内圧が所定値を超えると、中空体１０内のガスが、弾性ばね１９の付勢力に逆らって弁体１８を押し上げる。これにより、ガスは、中空体１０内から、内側連通孔２１、弁ケース１７内、外側連通孔２０及び通気孔９の順に通って、外装体３外へ排出される。これにより、外装体３及び中空体１０のそれぞれの内圧が調整される。
【００３５】
例えば電気二重層キャパシタ１の側面が下になるように電気二重層キャパシタ１が９０°だけ倒れた場合、電解液３０が溜まる場所が、重力で外装体３内の下部から外装体３内の側部へ移る。これにより、外装体３内の空間に露出されていた一方の気液分離膜１１が電解液３０中に浸ることとなる一方で、電解液３０中に浸っていた他方の気液分離膜１１が外装体３内の空間に露出されることとなる。
【００３６】
従って、この場合には、外装体３の内圧が次第に上昇すると、外装体３内の空間に露出されることとなった他方の気液分離膜１１を通して外装体３内のガスが中空体１０内に進入し、中空体１０の内圧が外装体３の内圧に応じて次第に上昇することとなる。この後、上記と同様の動作により、外装体３及び中空体１０のそれぞれの内圧が調整される。
【００３７】
また、電気二重層キャパシタ１の上下が逆になった場合であっても、外装体３の下部が上になるので、外装体３内の下部に配置されている他方の気液分離膜１１が外装体３内の空間に露出された状態が保たれる。従って、この場合も、上記と同様の動作により、外装体３及び中空体１０のそれぞれの内圧が調整される。
【００３８】
さらに、電気二重層キャパシタ１の正面が下になるように（即ち、蓄電デバイス本体２の厚さ方向が上下方向になるように）電気二重層キャパシタ１が倒れた場合であっても、各気液分離膜１１のそれぞれの下の部分が電解液３０に浸されるが、各気液分離膜１１のそれぞれの上の部分が外装体３内の空間に露出される。従って、この場合には、各気液分離膜１１のそれぞれの上の部分を通して外装体３内のガスが中空体１０内に進入し、中空体１０の内圧が外装体３の内圧に応じて次第に上昇することとなる。この後、上記と同様の動作により、外装体３及び中空体１０のそれぞれの内圧が調整される。
【００３９】
即ち、電気二重層キャパシタ１が任意の方向に倒れても、各気液分離膜１１のいずれかの一部又は全部が外装体３内の空間に露出され、露出された気液分離膜１１を通して外装体３内のガスが中空体１０内に進入可能になる。これにより、外装体３の内圧が上昇した場合には、露出された気液分離膜１１を通して外装体３内のガスが中空体１０内に進入することにより、中空体１０の内圧が外装体３の内圧に応じて上昇し、外装体３及び中空体１０のそれぞれの内圧が調整されることとなる。
【００４０】
このような電気二重層キャパシタ１では、中空体１０が外装体３内に配置され、外装体３内のガスを中空体１０内へ透過可能な複数の気液分離膜１１が中空体１０に互いに離して設けられているので、各気液分離膜１１のそれぞれを通して外装体３内から中空体１０内に進入したガスの外装体３外への排出を共通の逆止弁１２で行うことができる。これにより、圧力調整装置４の小形化を図ることができ、電気二重層キャパシタ１全体の小形化を図ることができる。また、各気液分離膜１１が互いに離れて配置されているので、電気二重層キャパシタ１が任意の方向に傾いたり倒れたりしても、すべての気液分離膜１１が電解液３０中に浸ってしまうことを回避することができ、各気液分離膜１１のいずれかを通して外装体３内のガスを中空体１０内に進入させることができる。これにより、外装体３内のガスをより確実に排出することができ、外装体３の内圧の調整をより確実に行うことができる。
【００４１】
また、蓄電デバイス本体２の厚さ方向に沿って見たときの各気液分離膜１１の位置は、蓄電デバイス本体２を挟んで対向する位置となっているので、電気二重層キャパシタ１を任意の方向に傾けても、外装体３内の空間に各気液分離膜１１のいずれかをより確実に露出させることができる。これにより、外装体３内のガスをさらに確実に排出することができる。
【００４２】
また、各気液分離膜１１は、所定の撥水性を持つ材料により構成されているので、外装体３内の電解液３０が中空体１０内に進入しにくくすることができるとともに、気液分離膜１１のガスを透過する機能の低下を抑制することができる。
【００４３】
また、逆止弁１２は、内側連通孔２１を通して内部が中空体１０内と連通される弁ケース１７と、内側連通孔２１を開閉する弁体１８と、内側連通孔２１を閉じる方向へ弁体１８を付勢する弾性ばね１９とを有しており、弁体１８は、中空体１０の内圧で押されることにより、弾性ばね１９の付勢力に逆らって、内側連通孔２１を開く方向へ変位可能になっているので、逆止弁１２をどのような方向に向けても、内側連通孔２１を閉じる方向への力を弁体１８に常に与えることができ、逆止弁１２の逆止機能をより確実に発揮させることができる。
【００４４】
なお、上記の例では、第１の中空管１３の他端部に形成された第１の端面に開口部１５が設けられているが、第１の中空管１３の４つの側面の少なくともいずれかに開口部１５を設け、気液分離膜１１により開口部１５を塞ぐようにしてもよい。また、第２の中空管１４の他端部に形成された第２の端面に開口部１６が設けられているが、第２の中空管１４の４つの側面の少なくともいずれかに開口部１６を設け、気液分離膜１１により開口部１６を塞ぐようにしてもよい。
【００４５】
また、上記の例では、第１及び第２の中空管１３，１４のそれぞれの断面形状が矩形状とされているが、これに限定されず、第１及び第２の中空管１３，１４のそれぞれの断面形状を例えば円形や楕円形等としてもよい。
【００４６】
実施の形態２．
図４は、この発明の実施の形態２による電気二重層キャパシタ１を示す斜視図である。図において、中空体１０は、蓄電デバイス本体２の周囲を囲む環状の中空管とされている。また、中空体１０には、蓄電デバイス本体２の厚さ方向について互いに対向する一対の環状面３１，３２が形成されている。
【００４７】
一方及び他方の開口部１５，１６は、一方の環状面３１に設けられている。また、蓄電デバイス本体２の厚さ方向に沿って見たときの各開口部１５，１６の位置は、蓄電デバイス本体２を挟んで対向する位置とされている。
【００４８】
各気液分離膜１１は、各開口部１５，１６を個別に塞いでいる。従って、一方及び他方の気液分離膜１１も、一方の環状面３１に設けられている。また、蓄電デバイス本体２の厚さ方向に沿って見たときの各気液分離膜１１の位置は、蓄電デバイス本体２を挟んで対向する位置とされている。他の構成及び動作は実施の形態１と同様である。
【００４９】
このように、中空体１０を、蓄電デバイス本体２の周囲を囲む環状の中空管としても、実施の形態１と同様の効果を得ることができる。また、開口部１５，１６及び気液分離膜１１を設ける位置の自由度を向上させることができる。
【００５０】
なお、上記の例では、各気液分離膜１１及び開口部１５，１６が一方の環状面３１にのみ設けられているが、中空体１０における各気液分離膜１１及び開口部１５，１６の位置は、これに限定されない。例えば、一方の気液分離膜１１及び開口部１５を一方の環状面３１に設け、他方の気液分離膜１１及び開口部１６を他方の環状面３２に設けてもよい。
【００５１】
実施の形態３．
図５は、この発明の実施の形態３による電気二重層キャパシタ１を示す斜視図である。図において、中空体１０は、蓄電デバイス本体２の厚さ方向について蓄電デバイス本体２に重ねられた内部が空洞の中空板とされている。また、中空体１０には、蓄電デバイス本体２の厚さ方向について互いに対向する板表面４１及び板裏面４２が形成されている。
【００５２】
一方及び他方の開口部１５，１６は、板表面４１に設けられている。また、蓄電デバイス本体２の厚さ方向に沿って見たときの各開口部１５，１６の位置は、蓄電デバイス本体２を挟んで対向する位置とされている。
【００５３】
各気液分離膜１１は、各開口部１５，１６を個別に塞いでいる。従って、一方及び他方の気液分離膜１１も、板表面４１に設けられている。また、蓄電デバイス本体２の厚さ方向に沿って見たときの各気液分離膜１１の位置は、蓄電デバイス本体２を挟んで対向する位置とされている。他の構成及び動作は実施の形態１と同様である。
【００５４】
このように、中空体１０を、蓄電デバイス本体２の厚さ方向について蓄電デバイス本体２に重ねられた中空板としても、実施の形態１と同様の効果を得ることができる。また、中空体１０が蓄電デバイス本体２によって固定されるので、外装体３に対する逆止弁１２の位置決めを容易にすることができる。
【００５５】
なお、上記の例では、各気液分離膜１１及び開口部１５，１６が中空体１０の板表面４１に設けられているが、中空体１０における各気液分離膜１１及び開口部１５，１６の位置は、これに限定されない。例えば、一方の気液分離膜１１及び開口部１５を板表面４１に設け、他方の気液分離膜１１及び開口部１６を板裏面４２に設けてもよい。
【００５６】
また、上記の例では、中空体１０が蓄電デバイス本体２の外側から重ねられているが、蓄電デバイス本体２を厚さ方向について蓄電デバイス本体２を２つの分割体に分割し、２つの分割体間に中空体１０を挟んで、中空体１０を蓄電デバイス本体２に重ねてもよい。
【００５７】
実施の形態４．
図６は、この発明の実施の形態４による電気二重層キャパシタ１を示す斜視図である。図において、第１の中空管１３の断面形状は矩形状とされ、第２の中空管１４の断面形状は円形とされている。即ち、第１の中空管１３の断面形状と、第２の中空管１４の断面形状とは、互いに異なる形状とされている。
【００５８】
一方の気液分離膜１１及び開口部１５は、第１の中空管１３の側面に設けられている。他方の気液分離膜１１及び開口部１６は、第２の中空管１４の端面に設けられている。蓄電デバイス本体２の厚さ方向に沿って見たときの各開口部１５，１６の位置は、蓄電デバイス本体２を挟んで対向する位置とされている。また、蓄電デバイス本体２の厚さ方向に沿って見たときの各気液分離膜１１の位置は、蓄電デバイス本体２を挟んで対向する位置とされている。他の構成及び動作は実施の形態１と同様である。
【００５９】
このように、第１及び第２の中空管１３，１４のそれぞれの断面形状を互いに異なる形状としても、実施の形態１と同様の効果を得ることができる。また、蓄電デバイス本体２の形状に合わせて中空体１０を形成することにより、電気二重層キャパシタ１の小形化をさらに図ることができる。
【００６０】
なお、上記の例では、第１の中空管１３の側面に気液分離膜１１及び開口部１５が設けられているが、第１の中空管１３の端面に気液分離膜１１及び開口部１５を設けてもよい。また、上記の例では、第２の中空管１４の端面に気液分離膜１１及び開口部１６が設けられているが、第２の中空管１４の側面に気液分離膜１１及び開口部１６を設けてもよい。
【００６１】
また、各上記実施の形態では、中空体１０に設けられた開口部１５，１６の数が２つとされ、各開口部１５，１６を個別に塞ぐ気液分離膜１１の数が２つとされているが、中空体１０に設けられた開口部の数を３つ以上とし、各開口部を個別に塞ぐ気液分離膜１１の数を３つ以上としてもよい。
【００６２】
また、各上記実施の形態では、弁体１８の形状が球状とされているが、これに限定されず、弁体１８の形状を例えば板状や棒状等としてもよい。
【符号の説明】
【００６３】
１  蓄電デバイス、２  蓄電デバイス本体、３  外装体、４  圧力調整装置、１０  中空体、１１  気液分離膜、１２  逆止弁、１７  弁ケース、１８  弁体、１９  弾性ばね（付勢体）。
【図１】
2012199297.tif 000003
【図２】
2012199297.tif 000004
【図３】
2012199297.tif 000005
【図４】
2012199297.tif 000006
【図５】
2012199297.tif 000007
【図６】
2012199297.tif 000008